(57)【要約】【課題】ビュレットまたはピペットに簡単に取り付けることができ、軽量で且つ単純構造の目盛読み取り用ルーペを提供する。【解決手段】ビュレットまたはピペットを通すことができる孔が両端に一つずつ設けられた湾曲率可変の弾性体からなる湾曲した基部と、基部中央から基部長手方向に直交して設けられ基部の湾曲方向と同じ方向に湾曲した二つのアーム部と、二つのアーム部の先端間を橋渡すように取り付けられた拡大レンズとを有し、基部の湾曲率を大きくすると基部の両端に一つずつ設けられた孔を見通したときに観える孔の大きさがビュレットまたはピペットの外径よりも大きくなり、且つ基部の湾曲率を小さくすると基部の両端に一つずつ設けられた孔を見通したときに観える孔の大きさがビュレットまたはピペットの外径よりも小さくなる、ビュレットまたはピペットの目盛読み取り用ルーペ。【選択図】図４
2011056329.tif 000002
【特許請求の範囲】
【請求項１】
ビュレットまたはピペットを通すことができる孔が両端に一つずつ設けられた湾曲率可変の弾性体からなる湾曲した基部と、
基部中央から基部長手方向に直交して設けられ基部の湾曲方向と同じ方向に湾曲した二つのアーム部と、
二つのアーム部の先端間を橋渡するように取り付けられた拡大レンズとを有し、
基部の湾曲率を大きくすると基部の両端に一つずつ設けられた孔を見通したときに観える孔の大きさがビュレットまたはピペットの外径よりも大きくなり、且つ
基部の湾曲率を小さくすると基部の両端に一つずつ設けられた孔を見通したときに観える孔の大きさがビュレットまたはピペットの外径よりも小さくなる、
ビュレットまたはピペットの目盛読み取り用ルーペ。
【発明の詳細な説明】
【技術分野】
【０００１】
本発明は、ビュレットまたはピペットの目盛読み取り用ルーペに関する。
【背景技術】
【０００２】
ビュレットは、分析化学における滴定の時に使用し、滴下した液の容量を秤量するための実験器具である。ガラス製、プラスチック製のものが一般的である。ビュレットは、筒状の貯留部の下に活栓がついた構造をしている。貯留部は計量に適したように一定の内径を有し、細く、且つ目盛が壁に刻印されている。
ピペットは一定の容量を正確に計量するための器具である。熱膨張の影響を少なくするために、肉厚のガラス管製のものが一般的である。ピペットとしては、ガラス管に目盛が刻印されたメスピペットや、定量容積を示す線が刻印されたホールピペットなどがある。
【０００３】
ビュレットまたはピペットにおいては、凹型メニスカスの下面または凸型メニスカスの上面の位置に対応する目盛を読み取ることで液容量を決定する。
メニスカスの下面または上面の位置の読み取りを正確に行うために、拡大鏡を用いることがある。しかしながら、滴定のたびに、拡大鏡を取り出して、目盛を読み取るのは煩雑である。
市販の精密液柱型圧力計として、メニスカスを観るための拡大ルーペ部分を、スケール柱とラックアンドピニオンにて取り付けて、上下に移動可能にしたものがある。しかしながら、ラックアンドピニオン部の構造は複雑で重いので、この機構をそのままビュレットやピペットなどの器具に適用することはできない。
なお、記載すべき先行技術文献情報がないので、特許文献等の記載をしていない。
【発明の概要】
【発明が解決しようとする課題】
【０００４】
本発明は、ビュレットまたはピペットに簡単に取り付けることができ、軽量で且つ単純構造の目盛読み取り用ルーペを提供することを目的とする。
【課題を解決するための手段】
【０００５】
本発明者は、上記目的を達成するために鋭意検討した結果、ビュレットまたはピペットを通すことができる孔が両端に一つずつ設けられた湾曲率可変の弾性体からなる湾曲した基部と、基部中央から基部長手方向に直交して設けられ基部の湾曲方向と同じ方向に湾曲した二つのアーム部と、二つのアーム部の先端間を橋渡するように取り付けられた拡大レンズとを有し、基部の湾曲率を大きくすると基部の両端に一つずつ設けられた孔を見通したときに観える孔の大きさがビュレットまたはピペットの外径よりも大きくなり、且つ基部の湾曲率を小さくすると基部の両端に一つずつ設けられた孔を見通したときに観える孔の大きさがビュレットまたはピペットの外径よりも小さくなる、ビュレットまたはピペットの目盛読み取り用ルーペは、軽量で且つ単純構造であり、ビュレットまたはピペットに簡単に取り付けることができることを見出した。
【発明の効果】
【０００６】
本発明のビュレットまたはピペットの目盛読み取り用ルーペは、湾曲率可変の弾性体からなる基部と、二つのアーム部と、拡大レンズとからなるものであり、構造が単純である。また、基部およびアーム部は樹脂などの弾性体で形成でき、軽量化することができる。
本発明のビュレットまたはピペットの目盛読み取り用ルーペは、基部の両端に一つずつ設けられた孔にビュレットまたはピペットを通すだけで、ビュレットまたはピペットに簡単に取り付けることができ、取り外しも簡単である。
また、基部の両端を挟み摘まんで、該両端間の距離を変えることによって、基部の湾曲率を変化させることができる。基部の湾曲率の変化によって、基部の両端に設けられた孔を見通したときに観える孔の大きさが変化する。見通したときに観える孔の大きさを大きくすると、本発明の目盛読み取り用ルーペをビュレットまたはピペットの長手方向に移動させることができる。見通したときに観える孔の大きさを小さくすると、本発明の目盛読み取り用ルーペをビュレットまたはピペットの長手方向の所望の場所に固定させることができる。
【図面の簡単な説明】
【０００７】
【図１】本発明のビュレットまたはピペットの目盛読み取り用ルーペに用いられる基部とアーム部の一例を示す図である。
【図２】本発明のビュレットまたはピペットの目盛読み取り用ルーペに用いられる拡大レンズの一例を示す図である。
【図３】立設されたビュレットに、本発明のビュレットまたはピペットの目盛読み取り用ルーペを取り付け、それを上方から観た図である。
【図４】立設されたビュレットに、本発明のビュレットまたはピペットの目盛読み取り用ルーペを取り付け、それを左側面から観た図である。
【図５】立設されたビュレットに、本発明のビュレットまたはピペットの目盛読み取り用ルーペを取り付け、それを正面から観た図である。
【発明を実施するための形態】
【０００８】
次に、図面に示した本発明の実施形態を参照して、本発明をより具体的に説明する。ただし、本発明は以下の実施形態によって限定されるものではない。
【０００９】
図１は、本発明のビュレットまたはピペットの目盛読み取り用ルーペに用いられる基部とアーム部の一例を示す図である。図２は、本発明のビュレットまたはピペットの目盛読み取り用ルーペに用いられる拡大レンズの一例を示す図である。
本発明の目盛読み取り用ルーペは、図１に示すような基部１とアーム部２を有し、且つ図２に示すようなフレネルレンズＲを有する。
【００１０】
図１に示す、基部１とアーム部２は、十字状の板部材によって構成されている。板部材は弾性体からなるものである。弾性体としては、樹脂やゴムなどからなる板部材や金属の板などが挙げられる。図１は湾曲前の状態を示しているが、基部１およびアーム部２は図面の紙面から起き上がる方向にそれぞれ湾曲させることができる。
基部１の両端には孔３ａおよび孔３ｂが各１つ設けられている。孔３ａおよび孔３ｂの大きさや形はビュレットまたはピペットを通すことができるものであれば特に制限されない。
【００１１】
図４は、立設されたビュレットＰに、本発明のビュレットまたはピペットの目盛読み取り用ルーペを取り付け、それを左側面から観た図である。
図４に示すように基部１を湾曲させて、基部の両端を近づける。孔３ａと孔３ｂとを見通せるところまで湾曲させることができる。なお、図４では孔３ａおよび孔３ｂを点線で示している。
【００１２】
基部の湾曲率を大きくすると基部の両端に一つずつ設けられた孔３ａおよび孔３ｂを見通したときに観える孔の大きさがビュレットまたはピペットの外径よりも大きくなる。孔３ａおよび孔３ｂを見通したときに観える孔の大きさをビュレットまたはピペットの外径よりも大きくしたときには、本発明の目盛読み取り用ルーペの孔３ａおよび孔３ｂに、ビュレットＰを通すことができる。そして、本発明の目盛読み取り用ルーペを、ビュレットＰの所望の高さ位置に移動させることができる。
【００１３】
一方、基部の湾曲率を小さくすると基部の両端に一つずつ設けられた孔３ａおよび孔３ｂを見通したときに観える孔の大きさがビュレットまたはピペットの外径よりも小さくなる。ビュレットＰが孔３ａおよび孔３ｂに通されている状態で湾曲率を小さくすると、孔３ａおよび孔３ｂの縁がビュレットＰの壁面に押し付けられ、摩擦力が高くなる。これによって、本発明の目盛読み取り用ルーペを、ビュレットＰの所望の高さ位置に固定させることができる。
【００１４】
基部は弾性体からなるものであるので、例えば、基部の両端を指で挟み該両端間の距離を近づけることで、湾曲率は大きくなる。逆に指で挟む力を緩めると弾性力によって基部の両端が離れ、両端間の距離が遠くなり、湾曲率が小さくなる。
【００１５】
アーム部は、基部中央から基部長手方向に直交して設けられている（図１参照）。アーム部は、基部の湾曲方向と同じ方向に湾曲させて、アーム部の両端を近づける。そして、二つのアーム部の先端間を橋渡するように、フレネルレンズＲが取り付けられている（図３参照）。なお、図３は、立設されたビュレットに、本発明のビュレットまたはピペットの目盛読み取り用ルーペを取り付け、それを上方から観た図である。
【００１６】
アーム部と基部が同方向に湾曲しているので、孔３ａおよび孔３ｂに通したビュレットＰが湾曲したアーム部および基部の内側に位置するようになる。アーム部の長さは、アーム部先端に取り付けたフレネルレンズＲに孔３ａおよび孔３ｂに通したビュレットＰが接触しない程度の長さであることが好ましく、ビュレットＰ内のメニスカスＭを拡大して見えるような位置にフレネルレンズＲが配置される長さであることがより好ましい。
【００１７】
本発明のビュレットまたはピペットの目盛読み取り用ルーペでは、基部１またはアーム部２の中央に対向する位置に拡大レンズＲが取り付けられている。ビュレットまたはピペットに対して斜め方向からメニスカスを観察してしまうと目盛の読みに誤差が出る。しかし、本発明のビュレットまたはピペットの目盛読み取り用ルーペを用いると、拡大レンズＲを通してメニスカスＭを拡大して見ることができる位置は、ビュレットまたはピペットＰに対して直角な方向だけになるので、メニスカスの位置の読み取り誤差が小さくなり、容量の測定を正確に行うことができる。図５は、立設されたビュレットに、本発明のビュレットまたはピペットの目盛読み取り用ルーペを取り付け、それを正面から観た図である。図５に示すように、フレネルレンズＲを通してビュレットＰ内のメニスカスＭおよびビュレットに刻まれた目盛が拡大されて観える。本発明のビュレットまたはピペットの目盛読み取り用ルーペは孔３ａおよび孔３ｂとビュレットＰとの摩擦力によってに固定されるので、実験者がメニスカスの位置を読み取る度に拡大鏡を持ち出す必要がなく、化学分析の作業効率を非常に高くすることができる。
【符号の説明】
【００１８】
１：基部
２：アーム部
３ａ、３ｂ：孔
Ｐ：ビュレット
Ｒ：フレネルレンズ
【図１】
2011056329.tif 000003
【図２】
2011056329.tif 000004
【図３】
2011056329.tif 000005
【図４】
2011056329.tif 000006
【図５】
2011056329.tif 000007